(57)【特許請求の範囲】
【請求項１】
筒状体を軸方向に沿って２分割したものに相当する一対の半割磁性体と、
前記半割磁性体を各１個収容する一対の半割ケースをヒンジ部にて連結した構造のケースとからなり、
前記一対の半割ケースを前記ヒンジ部を軸として閉じることで、前記一対の半割磁性体を接合させて前記筒状体に相当する形状のコアが形成されるノイズ吸収具において、
対をなす突起を前記コアの周方向について互いに離して、前記一対の半割ケースの一方の外面に設けており、
前記半割ケースの前記一方とは異なる他方は、前記ノイズ吸収具の取り付け相手に取り付け可能に構成されており、
前記半割ケースの外面の前記対をなす突起同士の間には、前記取り付け相手における前記他方の半割ケースが取り付けられる部分と平行である平面状の平坦部が設けられている
ことを特徴とするノイズ吸収具。
【請求項２】
前記一対の半割ケースを前記ヒンジ部を軸として閉じることで前記ケースに形成される、前記コアに通される電線のための挿通孔の開口形状は長軸と短軸とがある扁平形状であり、
前記対をなす突起同士の間隔は前記挿通孔の長軸と等しい
ことを特徴とする請求項１記載のノイズ吸収具。
【請求項３】
前記一対の半割ケースを前記ヒンジ部を軸として閉じることで前記ケースに形成される、前記コアに通される電線のための挿通孔の内周から前記対をなす突起に対応して延出された一対の内周突起を設けた
ことを特徴とする請求項１又は２記載のノイズ吸収具。
【発明の詳細な説明】
【技術分野】
【０００１】
本発明は、ノイズ吸収具の技術分野に属する。
【背景技術】
【０００２】
筒状体を軸方向に沿って２分割したものに相当する一対の半割磁性体と、
前記半割磁性体を各１個収容する一対の半割ケースをヒンジ部にて連結した構造のケースとからなり、
前記一対の半割ケースを前記ヒンジ部を軸として閉じることで、前記一対の半割磁性体を接合させて前記筒状体に相当する形状のコアが形成されるノイズ吸収具が知られている（一例として特開２００５−３５４３２９号公報）。
【特許文献１】特開２００５−３５４３２９号公報
【発明の開示】
【発明が解決しようとする課題】
【０００３】
特許文献１に記載のノイズ吸収具を使用する場合に、特許文献１の図２等に記載されているように、電線をループにして１本の電線を複数回コアに通すことがある。そうした場合に、ケースの外側でループになっている電線の位置が定まらないと、所期のノイズ除去効果が得られなかったり、他の配線等に近づいてノイズを拾ったりする等の不都合があった。
【０００４】
本願発明は、ノイズ吸収具に通した電線をループにしたときに、そのループの位置を安定させることが可能なノイズ吸収具を提供することを目的としている。
【課題を解決するための手段】
【０００５】
請求項１記載のノイズ吸収具は、
筒状体を軸方向に沿って２分割したものに相当する一対の半割磁性体と、
前記半割磁性体を各１個収容する一対の半割ケースをヒンジ部にて連結した構造のケースとからなり、
前記一対の半割ケースを前記ヒンジ部を軸として閉じることで、前記一対の半割磁性体を接合させて前記筒状体に相当する形状のコアが形成されるノイズ吸収具において、
対をなす突起を前記コアの周方向について互いに離して、前記一対の半割ケースの一方の外面に設けており、
前記半割ケースの前記一方とは異なる他方は、前記ノイズ吸収具の取り付け相手に取り付け可能に構成されており、
前記半割ケースの外面の前記対をなす突起同士の間には、前記取り付け相手における前記他方の半割ケースが取り付けられる部分と平行である平面状の平坦部が設けられている
ことを特徴とする。
【０００６】
請求項１記載のノイズ吸収具は、対をなす突起を前記コアの周方向について互いに離して、前記一対の半割ケースの一方の外面に設けた構成を備えているから、電線をループにして１本の電線を複数回コアに通すときに、電線を半割ケースの一方に巻き付けるようにしてループを形成し、しかもループの一部が対をなす突起間を通るようにする。こうすると、ループを形成している電線の位置が対をなす突起間に規制されるから、ケースの外側でループになっている電線の位置が安定する。これにより、電線の位置が安定しないことに起因するさまざまな不都合も解消できる。
【０００７】
なお、突起は連続する凸条であってもよいし、スポット状であってもよい。また、スポット状又は短い凸条を直線に沿って複数配置した構成でもよい。
また請求項１に記載のノイズ吸収具は、前記半割ケースの外面の前記対をなす突起同士の間には平坦部が設けられていることを特徴とするから、ループを形成するために電線を半割ケースの一方に巻き付ける場合に、その電線を平坦部に載るように巻けばよい。そうすると、ループを形成している電線の位置が平坦部によっても安定する。
【０００８】
請求項２記載のノイズ吸収具は、前記一対の半割ケースを前記ヒンジ部を軸として閉じることで前記ケースに形成される、前記コアに通される電線のための挿通孔の開口形状は長軸と短軸とがある扁平形状であり、前記対をなす突起同士の間隔は前記挿通孔の長軸と等しいことを特徴とする請求項１記載のノイズ吸収具である。
【０００９】
コアに通される電線のための挿通孔の開口形状は長軸と短軸とがある扁平形状、例えば長円形、楕円形、長方形、長方形の４角を円弧状にした形状等にした場合、ループ形成により挿通孔を複数回通る電線はほぼ長軸に沿って並ぶ。対をなす突起同士の間隔は挿通孔の長軸と等しいから、ループ形成のために電線を半割ケースの一方に巻き付けるときの、内側（挿通孔）と外側（突起間）との対応が良く、作業性が良くなる。
【００１０】
請求項３記載のノイズ吸収具は、前記一対の半割ケースを前記ヒンジ部を軸として閉じることで前記ケースに形成される、前記コアに通される電線のための挿通孔の内周から前記対をなす突起に対応して延出された一対の内周突起を設けたことを特徴とする請求項１又は２記載のノイズ吸収具である。
【００１１】
外面に一対の突起が設けられ、これらに対応して一対の内周突起が設けられているので、内外４つの突起間に片手で電線の巻き付け作業をより行いやすく、内周部での電線噛み込みも防止できる。特に、機器内電線の配線、スペースの状況によっては、ノイズ吸収具を立てた状態（長手方向が垂直状態）で電線の巻き付けを行う場合があり、その際の作業性がよく、電線のずれや嵌合時の噛み込み防止などに４つの突起が有効となる。
【発明を実施するための最良の形態】
【００１２】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例のノイズ吸収具１は、一対の半割磁性体２、２と、それらを収容するためのケース３とで構成される。
【００１３】
半割磁性体２、２は、筒状体を軸方向に沿って２分割したものに相当する形状で、両者の接合面４同士を対面させて接合することで、元の筒状体に相当する形状のコアを形成する。そのコアを形成したときには、接合面４間に設けられた溝状の凹部５が合わさって電線を通すための内孔となる。
【００１４】
ケース３は、一対の半割ケースに該当する固定部６と可動部７とをヒンジ部８にて連結した構造をしている。
図３に示すように、固定部６及び可動部７は、半割磁性体２を各１個収容するための収容室９を備えている。収容室９には、半割磁性体２の軸方向の位置決め用のリブ１１、半割磁性体２の背面を押圧するための弾性片１２、半割磁性体２の側面に設けられている係止凹所を係止するための係止保持片１３が配されている。半割磁性体２を収容室９に入れて押し込むようにすると、係止凹所が係止保持片１３によって係止されて、図１に示すように半割磁性体２が収容室９に収容され、保持される。
【００１５】
固定部６と可動部７とはヒンジ部８によって連結されているが、固定部６のヒンジ部８とは反対側になる側部には係止受孔１４が、同じく可動部７には係止突起１５が設けられている。そして、ヒンジ部８を折り曲げ変形させて固定部６と可動部７とを対面状にすると、係止突起１５が係止受孔１４に係止して、ケース３が閉鎖される。
【００１６】
ケース３を閉鎖すると、２つの半割磁性体２、２が接合面４同士を接合させて、上述のようにコアを形成する。このときに、弾性片１２が半割磁性体２の背面を押圧して、上記の接合を確実ならしめる。
【００１７】
固定部６、可動部７の両端に位置する端壁１７、１８には、凹み１９、２０が設けられている。ケース３を閉鎖すると、これらの凹み１９、２０が合体して挿通孔２１を形成する。挿通孔２１の開口形状は長方形の４角を円弧状にした形状である。また、端壁１８には内周突起に該当する凸片２２が設けられていて、凹み２０の内周を延長した凸が形成されている。一方、端壁１７には凸片２２に対応した凹２３が設けられている。ケース３を閉鎖すると凸片２２が凹２３にはまりこむので、挿通孔２１の内周に凹凸は形成されない。
【００１８】
固定部６の側部からは、穴付き片２５とピン付き片２６とが延出されている。穴付き片２５には穴２５ａが設けられ、ピン付き片２６には下向きにピン２６ａが立設されている。穴付き片２５及びピン付き片２６の下面は、固定部６の外底面６ａと同一平面上になるように設定されている。
【００１９】
このため、固定部６の外底面６ａを取り付け相手となる板等に当接させ、ピン２６ａをその板等に設けられたピン用穴に嵌合させて、穴２５ａに通したビスなどで締めれば（ピン２６ａとピン用穴との嵌合はねじ締め時の回り止めとなる）、固定部６すなわちノイズ吸収具１を固定することができる。
【００２０】
なお、上記のように「固定できる」ので固定部６と呼んでいるが、「常に固定して使用する」ことを意味するものではない。
一方、可動部７の外面には、対をなす突起２７が向かい合わせ状に設けられている。突起２７は端壁１８とほぼ直交する方向に沿って、両方の端壁１８間にわたって（つまり可動部７の全長にわたって）設けられている。
【００２１】
対をなす突起２７同士の間には帯状の平面である平坦部２８が設けられている。つまり、両突起２７の内側の対向面と平坦部２８とによって、浅い溝２９が構成されている。また、突起２７の突出方向は凸片２２とは逆になっているが、上記の対向面を延長すると凸片２２の内縁と重なる。すなわち、溝２９の内法幅（突起２７の対向面の間隔）は、挿通孔２１の長軸の長さと一致する。
【００２２】
このノイズ吸収具１は、上述の構成であるから、ヒンジ部８を軸として固定部６と可動部７とを対面させてケース３を閉鎖すると、２つの半割磁性体２、２が接合面４同士を接合させて、有孔のコアを形成する。
【００２３】
そのコアの内孔に電線を通せば（挿通孔２１は電線を通すための開口となる）、周知の通りのノイズ除去が可能である。
対をなす突起２７をコアの周方向について互いに離して、可動部７（一対の半割ケースの一方に該当）の外面に設けたので、１本の電線をループにして複数回（通常は２〜３回）コアに通すときに、電線を可動部７に巻き付けるようにしてループを形成し、しかもループの一部が対をなす突起２７間を通るようにする。こうすると、ループを形成している電線の位置が対をなす突起２７間に規制されるから、ケース３の外側でループになっている電線の位置が安定する。これにより、電線の位置が安定しないことに起因するさまざまな不都合も解消できる。
【００２４】
しかも、ノイズ吸収具１では、対をなす突起２７同士の間には平坦部２８が設けられて、突起２７間に浅い溝２９が形成されているから、ループを形成するために電線を可動部７に巻き付ける場合に、その電線が溝２９内になるように（平坦部２８に載るように）巻けばよい。そうすると、溝２９が目標となるので電線を巻き付ける作業が行いやすいし、ループの位置もばらつきなく溝２９内に収まるし、ループを形成している電線の位置が平坦部２８によっても安定する。
【００２５】
更には、突起２７の間隔（溝２９の幅）は挿通孔２１の長軸と等しくて、突起２７の突出方向は凸片２２とは逆になっているが、突起２７の対向面を延長すると凸片２２の内縁と重なる構成であるので、ケース３を閉じる前に電線を可動部７に巻き付ける作業を行うときには、電線が両凸片２２並びに両突起２７間を通るようにすればよく、この巻き付け作業を容易かつ正確に行える。
【００２６】
外面に一対の突起２７が設けられ、これらに対応して二対の凸片２２が設けられているので、これら突起２７と凸片２２の間に片手で電線の巻き付け作業をより行いやすく、内周部での電線噛み込みも防止できる。特に、機器内電線の配線、スペースの状況によっては、ノイズ吸収具１を立てた状態（長手方向が垂直状態）で電線の巻き付けを行う場合があり、その際の作業性がよく、電線のずれや嵌合時の噛み込み防止などに２つの突起２７と二対の凸片２２が有効となる。
【００２７】
また、実施例のノイズ吸収具１は次のような効果も奏する。
まず、外周部の電線が平坦部２８に並ぶことで機器に組み込んだ際、筐体などの金属と複数の電線が並行かつ同一距離に位置するため、電線ごとの金属に対する容量結合のばらつくがなく、巻き方による特性差が発生しない。
【００２８】
次に、ターンさせた電線をテープなどで押さえつけて筐体などの金属に接するように取り付けることで、高周波ノイズをあえて容量結合により金属へ流すことが可能となり相乗対策効果が得られる。
【００２９】
そして、半割磁性体２によって構成されるフェライトコアの形状が楕円形となった場合、接合面４を他の部分に比べ幅広とすれば、接合面４の断面積が増加する。分割された半割磁性体２の接合面４の接触状態が特性に大きく影響するため、接合面４間の隙間による特性低下を接合面４の断面積を増やすことで補うことができ、結果として良好な対策効果を得ることができる。
【図面の簡単な説明】
【００３０】
【図１】実施例のノイズ吸収具でケースを開けた状態の平面図（ａ）、左側面図（ｂ）、正面図（ｃ）。
【図２】実施例のノイズ吸収具でケースを閉じた状態の平面図（ａ）、左側面図（ｂ）、正面図（ｃ）。
【図３】実施例のノイズ吸収具のケースを開けた状態の平面図（ａ）、左側面図（ｂ）、正面図（ｃ）。
【符号の説明】
【００３１】
１・・・ノイズ吸収具、
２・・・半割磁性体、
３・・・ケース、
６・・・固定部、
７・・・可動部、
８・・・ヒンジ部、
９・・・収容室、
２１・・・挿通孔、
２７・・・突起、
２８・・・平坦部、
２９・・・溝。
【図１】
0005142369.tif 000002
【図２】
0005142369.tif 000003
【図３】
0005142369.tif 000004